(57)【要約】【課題】ＤＶＤ−Ｒ、ＤＶＤ＋Ｒ等の追記型の光記録媒体において、低速記録から高速記録に亘って良好な記録特性を得る。【解決手段】光透過性の基板上に、少なくとも下記化１に示す一般式で表される色素材料（式中、Ｒ１は炭素数１〜４のアルキル基を表し、Ｒ２、Ｒ３はそれぞれ炭素数１〜４のアルキル基、ベンジル基又は連結して３〜６員環を形成する基を表し、Ｙ１及びＹ２は各々独立に有機基を表し、ＸはＣｌＯ４、ＢＦ４、ＰＦ６、ＳｂＦ６を表す）と、下記の化２に示す一般式で表される色素材料（式中、Ｒ１及びＲ２はそれぞれ炭素数１〜４のアルキル基、ベンジル基又は連結して３〜６員環を形成する基を表し、Ｙ１、Ｙ２は各々独立に有機基を表し、ＸはＣｌＯ４、ＢＦ４、ＰＦ６、ＳｂＦ６を表す）とを含む記録層を有する構成とする。【化１】2005132055.tif 000015【化２】2005132055.tif 000016【選択図】図１
2005132055.tif 000002
【特許請求の範囲】
【請求項１】
光透過性の基板上に、
少なくとも下記化１に示す一般式で表される色素材料（式中、Ｒ１は炭素数１〜４のアルキル基を表し、Ｒ２、Ｒ３はそれぞれ炭素数１〜４のアルキル基、ベンジル基又は連結して３〜６員環を形成する基を表し、Ｙ１及びＹ２は各々独立に有機基を表し、ＸはＣｌＯ４、ＢＦ４、ＰＦ６、ＳｂＦ６を表す）と、
下記化２で示す一般式で表される色素材料（式中、Ｒ１及びＲ２はそれぞれ炭素数１〜４のアルキル基、ベンジル基又は連結して３〜６員環を形成する基を表し、Ｙ１、Ｙ２は各々独立に有機基を表し、ＸはＣｌＯ４、ＢＦ４、ＰＦ６、ＳｂＦ６を表す）とを含む記録層を有する
ことを特徴とする光記録媒体。
【化１】
2005132055.tif 000011
【化２】
2005132055.tif 000012
【請求項２】
上記基板には記録トラックに沿ってグルーブが形成され、
上記グルーブの幅Ｗｇが
０．２８μｍ≦Ｗｇ≦０．４０μｍ
とされ、かつ上記グルーブの深さＤが
１００ｎｍ≦Ｄ≦２００ｎｍ
とされる
ことを特徴とする請求項１記載の光記録媒体。
【請求項３】
上記化１に示す一般式で表される色素材料が、下記化３に示す構造式で表される材料である
ことを特徴とする請求項１記載の光記録媒体。
【化３】
2005132055.tif 000013
【請求項４】
上記化１に示す一般式で表される色素材料が、上記化３に示す構造式で表される材料である
ことを特徴とする請求項２記載の光記録媒体。
【請求項５】
上記化１に示す一般式で表される色素材料が、下記化４に示す構造式で表される材料である
ことを特徴とする請求項１記載の光記録媒体。
【化４】
2005132055.tif 000014
【請求項６】
上記化１に示す一般式で表される色素材料が、上記化４に示す構造式で表される材料である
ことを特徴とする請求項２記載の光記録媒体。
【請求項７】
上記化１記載の色素材料の重量をＷ１、上記化２記載の色素材料の重量をＷ２とすると、上記記録層中に含まれる上記各色素材料の重量比が
０＜Ｗ２／（Ｗ１＋Ｗ２）≦０．７
とされる
ことを特徴とする請求項１記載の光記録媒体。
【請求項８】
上記化１記載の色素材料の重量をＷ１、上記化２記載の色素材料の重量をＷ２とすると、上記記録層中に含まれる上記各色素材料の重量比が
０＜Ｗ２／（Ｗ１＋Ｗ２）≦０．７
とされる
ことを特徴とする請求項２記載の光記録媒体。
【請求項９】
上記化１記載の色素材料の重量をＷ１、上記化２記載の色素材料の重量をＷ２とすると、上記記録層中に含まれる上記各色素材料の重量比が
０＜Ｗ２／（Ｗ１＋Ｗ２）≦０．７
とされる
ことを特徴とする請求項３記載の光記録媒体。
【請求項１０】
上記化１記載の色素材料の重量をＷ１、上記化２記載の色素材料の重量をＷ２とすると、上記記録層中に含まれる上記各色素材料の重量比が
０＜Ｗ２／（Ｗ１＋Ｗ２）≦０．７
とされる
ことを特徴とする請求項４記載の光記録媒体。
【請求項１１】
上記化１記載の色素材料の重量をＷ１、上記化２記載の色素材料の重量をＷ２とすると、上記記録層中に含まれる上記各色素材料の重量比が
０＜Ｗ２／（Ｗ１＋Ｗ２）≦０．７
とされる
ことを特徴とする請求項５記載の光記録媒体。
【請求項１２】
上記化１記載の色素材料の重量をＷ１、上記化２記載の色素材料の重量をＷ２とすると、上記記録層中に含まれる上記各色素材料の重量比が
０＜Ｗ２／（Ｗ１＋Ｗ２）≦０．７
とされる
ことを特徴とする請求項６記載の光記録媒体。
【請求項１３】
上記記録層に、失活剤が含まれて成る
ことを特徴とする請求項１記載の光記録媒体。
【請求項１４】
上記記録層に、失活剤が含まれて成る
ことを特徴とする請求項２記載の光記録媒体。
【請求項１５】
上記記録層に、失活剤が含まれて成る
ことを特徴とする請求項３記載の光記録媒体。
【請求項１６】
上記記録層に、失活剤が含まれて成る
ことを特徴とする請求項４記載の光記録媒体。
【請求項１７】
上記化１に示す色素材料の重量をＷ１、上記化２に示す色素材料の重量をＷ２、上記失活剤の重量をＷ３とすると、
０．１≦Ｗ３／（Ｗ１＋Ｗ２＋Ｗ３）≦０．３
とされる
ことを特徴とする請求項１３記載の光記録媒体。
【請求項１８】
上記化２に示す色素材料の重量をＷ１、上記化２に示す色素材料の重量をＷ２、上記失活剤の重量をＷ３とすると、
０．１≦Ｗ３／（Ｗ１＋Ｗ２＋Ｗ３）≦０．３
とされる
ことを特徴とする請求項１４記載の光記録媒体。
【請求項１９】
上記化３に示す色素材料の重量をＷ１、上記化２に示す色素材料の重量をＷ２、上記失活剤の重量をＷ３とすると、
０．１≦Ｗ３／（Ｗ１＋Ｗ２＋Ｗ３）≦０．３
とされる
ことを特徴とする請求項１５記載の光記録媒体。
【請求項２０】
上記化１に示す色素材料の重量をＷ１、上記化２に示す色素材料の重量をＷ２、上記失活剤の重量をＷ３とすると、
０．１≦Ｗ３／（Ｗ１＋Ｗ２＋Ｗ３）≦０．３
とされる
ことを特徴とする請求項１６記載の光記録媒体。
【請求項２１】
上記光記録媒体の記録トラックのトラックピッチＴｐが０．７４μｍ±０．０３、最短マーク長が０．４０μｍ、記録マークの読み出しに用いられる再生用光の波長λが６５０ｎｍ＋１０ｎｍ／−５ｎｍ若しくは６５５ｎｍ＋１０ｎｍ／−５ｎｍ、集光レンズの開口数ＮＡが０．６５±０．０１とされて成る
ことを特徴とする請求項１記載の光記録媒体。
【請求項２２】
上記光記録媒体の記録トラックのトラックピッチＴｐが０．７４μｍ±０．０３、最短マーク長が０．４０μｍ、記録マークの読み出しに用いられる再生用光の波長λが６５０ｎｍ＋１０ｎｍ／−５ｎｍ若しくは６５５ｎｍ＋１０ｎｍ／−５ｎｍ、集光レンズの開口数ＮＡが０．６５±０．０１とされて成る
ことを特徴とする請求項２記載の光記録媒体。
【請求項２３】
上記光記録媒体の記録トラックのトラックピッチＴｐが０．７４μｍ±０．０３、最短マーク長が０．４０μｍ、記録マークの読み出しに用いられる再生用光の波長λが６５０ｎｍ＋１０ｎｍ／−５ｎｍ若しくは６５５ｎｍ＋１０ｎｍ／−５ｎｍ、集光レンズの開口数ＮＡが０．６５±０．０１とされて成る
ことを特徴とする請求項３記載の光記録媒体。
【請求項２４】
上記光記録媒体の記録トラックのトラックピッチＴｐが０．７４μｍ±０．０３、最短マーク長が０．４０μｍ、記録マークの読み出しに用いられる再生用光の波長λが６５０ｎｍ＋１０ｎｍ／−５ｎｍ若しくは６５５ｎｍ＋１０ｎｍ／−５ｎｍ、集光レンズの開口数ＮＡが０．６５±０．０１とされて成る
ことを特徴とする請求項４記載の光記録媒体。
【発明の詳細な説明】
【技術分野】
【０００１】
本発明は、光記録媒体、特に記録層として有機色素材料を用いる光記録媒体に関する。
【背景技術】
【０００２】
光記録媒体として、光学的有機色素材料を記録層に用いる光記録媒体は、プラスチックなどの透明な基板上に有機色素を主成分とする記録層、また必要に応じて反射層、保護層等を設けて成り、この記録層の表面にレーザー光を走査させ、照射した表面の部分にのみピット形成を行うことで情報を高密度に記録する。
【０００３】
ＣＤ−Ｒ（追記型ＣＤ：Compact Disc、登録商標）に代表される有機色素記録媒体は、構成がシンプルであり、安価に製造できるため、データや画像などのバックアップや音楽用途として市場に広く受け入れられている。しかし、近年のコンピュータの急速な進化に伴い、記録メディアの更なる大容量化が望まれており、有機色素を用いた光記録媒体の需要はＣＤ−ＲなどからＤＶＤ−ＲやＤＶＤ＋Ｒ（追記型ＤＶＤ：Digital Versatile Disc、登録商標）へと移行しつつある。
【０００４】
有機色素を用いた光記録媒体への情報の記録は、ヒートモードにより行われる。記録層にレーザー光を照射することで、照射された部分の有機色素はレーザー光を吸収して熱を持ち分解する。有機色素が分解した部分は、分解していない部分とは反射率が異なるため、記録層中にピットが形成されることとなる。そのため有機色素を用いた光記録媒体においては、熱を吸収するメカニズムが重要になる。記録層中の有機色素を分解させるために必要な熱量は吸光スペクトルにより決定され、これによりレーザーの照射パワーが調整される。
【０００５】
またこの有機色素を用いた光記録媒体においては、記録層の反射率特性と記録感度特性が重要であり、これらの特性は互いに深い相関を持っており、光記録媒体の記録特性に大きな影響を与える。ＤＶＤでは、記録密度を高めるためにＣＤより短い６５０ｎｍ（ＤＶＤ−Ｒ）若しくは６５５ｎｍ（ＤＶＤ＋Ｒ）の波長のレーザー光が用いられており、従来ＣＤ−Ｒに利用してきた有機色素は、この波長領域で吸収が大きいため最適記録感度から大きくずれてしまいＤＶＤ−ＲやＤＶＤ＋Ｒに用いることはできない。
【０００６】
更に、ＤＶＤ−Ｒ、ＤＶＤ＋Ｒにおいても、ＣＤ−Ｒと同様に高速記録が求められている。高速記録を行う記録材料には、反射率が高いだけでなく、記録感度が高感度であること、熱による色素の分解スピードが速いことが求められる。
【０００７】
ＤＶＤ−Ｒなどに適用して好適な色素材料は各種提案されている（例えば特許文献１及び２参照。）。
しかしながら、高速記録時の記録再生特性については検討されていない。
【０００８】
また、色素の分解スピードを単に高めることにより高速記録に最適化すると、低速記録時の信号特性の悪化が見られ、逆の場合も同様で、低速記録に最適化すると、高速記録時の信号特性が悪化してしまう。従って、１枚の有機色素記録媒体で低速から高速記録に亘って記録特性を維持するのは非常に困難である。
【０００９】
【特許文献１】特開２００２−５２８２９号公報
【特許文献２】特開２００３−２３１３５９号公報
【発明の開示】
【発明が解決しようとする課題】
【００１０】
本発明は、ＤＶＤ−Ｒ、ＤＶＤ＋Ｒ等の追記型の光記録媒体において、低速記録から高速記録に亘って良好な記録特性を得ることを目的とする。
【課題を解決するための手段】
【００１１】
上記課題を解決するため、本発明は、光透過性の基板上に、少なくとも下記化１に示す一般式で表される色素材料（式中、Ｒ１は炭素数１〜４のアルキル基を表し、Ｒ２、Ｒ３はそれぞれ炭素数１〜４のアルキル基、ベンジル基又は連結して３〜６員環を形成する基を表し、Ｙ１及びＹ２は各々独立に有機基を表し、ＸはＣｌＯ４、ＢＦ４、ＰＦ６、ＳｂＦ６を表す）と、下記の化２に示す一般式で表される色素材料（式中、Ｒ１及びＲ２はそれぞれ炭素数１〜４のアルキル基、ベンジル基又は連結して３〜６員環を形成する基を表し、Ｙ１、Ｙ２は各々独立に有機基を表し、ＸはＣｌＯ４、ＢＦ４、ＰＦ６、ＳｂＦ６を表す）とを含む記録層を有する構成とする。
【００１２】
【化１】
2005132055.tif 000003
【００１３】
【化２】
2005132055.tif 000004
【００１４】
また本発明は、上述の構成の光記録媒体において、基板に記録トラックに沿ってグルーブを形成して、グルーブの幅Ｗｇを
０．２８μｍ≦Ｗｇ≦０．４０μｍ
として、かつこのグルーブの深さＤを
１００ｎｍ≦Ｄ≦２００ｎｍ
として構成する。
【００１５】
また本発明は、上述の各構成による光記録媒体において、上記化１に示す一般式で表される色素材料を、下記化３に示す構造式で表される材料として構成する。
【００１６】
【化３】
2005132055.tif 000005
【００１７】
さらに本発明は、上述の各構成による光記録媒体において、上記化１に示す一般式で表される色素材料を、下記化４に示す構造式で表される材料として構成する。
【００１８】
【化４】
2005132055.tif 000006
【００１９】
また他の本発明は、上記化１又は化３又は化４に示す色素材料の重量をＷ１、上記化２に示す色素材料の重量をＷ２とすると、記録層中に含まれる各色素材料の重量比を
０＜Ｗ２／（Ｗ１＋Ｗ２）≦０．７
として構成する。
【００２０】
上述したように本発明は、追記型光記録媒体、特にＤＶＤ型構成の有機色素を用いた光記録媒体に適用して好適な光記録媒体であって、その記録層材料を選定するとともに、特にグルーブの幅及び深さを適切に選定することによって、１倍速から８倍速記録に至る記録速度に対し、良好な記録再生特性、すなわちジッター９．０％未満、また適切な記録パワー特性を得ることができた。
【００２１】
これにより、実用的で記録再生特性の良好なＤＶＤ型構成の追記型光記録媒体を提供することができる。
【発明の効果】
【００２２】
上述の請求項１又は２に係る発明によれば、高速記録特性に優れた追記型の光記録媒体を提供することができる。
【００２３】
また請求項３乃至６に係る発明によれば、高速記録特性に優れ、かつ高速記録とともに１倍速などの低速記録時における記録パワー範囲を適切な範囲に選定することが可能な光記録媒体を提供することができる。
【００２４】
更に請求項７乃至１２に係る発明によれば、高速記録特性に優れ、かつ低速記録時における記録パワー範囲を適切な範囲に選定し得るとともに、高速記録時の特に８倍速記録の際の記録パワー範囲を確実に適切な範囲に選定することが可能な光記録媒体を提供することができる。
【発明を実施するための最良の形態】
【００２５】
以下本発明を実施するための最良の形態について説明するが、本発明は以下の例に限定されることなく種々の変形、変更が可能であることはいうまでもない。
この例においては、有機色素ディスクに適用した例であり、特にＤＶＤ−Ｒ、ＤＶＤ＋Ｒディスクに適用することにより高速記録特性を良好にした光記録媒体を構成する場合二ついて説明する。
【００２６】
本発明による光記録媒体の一例の概略断面構成を図１に示す。ＰＣ(ポリカーボネート)またはＰＭＭＡ（ポリメチルメタクリレート）等より成る光透過性の基板１の上に、色素材料より成る記録層２及び反射層３が被着形成されて成る。
記録層２の色素材料としては、上記化１及び化２に示す一般式の色素材料を含む構成とする。
【００２７】
例えば上記化１に示す一般式のうち、上記化３又は上記化４に示す構造式の色素を用いることができる。
また、上記化２に示す一般式のうち、例えば下記の化５に示す構造式の色素材料を添加して光記録媒体を構成することができる。
【００２８】
【化５】
2005132055.tif 000007
【００２９】
色素材料の塗布液は、記録層を構成する有機色素に対し塗布溶媒となるテトラフルオロプロパノール等に溶解して調製し、厚さ例えば０．６ｍｍの光透過性の基板上にスピンコート法により記録層を成膜し、その上にスパッタリング法により例えば銀合金のＡＰＣ（Ａｇ−Ｐｄ−Ｃｕ合金）、ＡＮＣ（Ａｇ−Ｎｄ−Ｃｕ合金）等より成る反射層を積層させる。
【００３０】
また記録層の膜厚は通常の有機色素材料を用いた光記録媒体において選定される厚さとする。この例においては、記録層の光学濃度（ＯＤ）を、吸収の極大波長λｍａｘにおける透過率をＴとしたとき、
ＯＤ＝−ｌｏｇ（Ｔ）
と定義して、ＯＤ＝０．６５となる膜厚とした。
【００３１】
使用した基板の表面には、図２に要部の拡大断面図を示すように、グルーブ４が通常の基板製造過程により、すなわち通常のマスタリング工程により作製したスタンパから射出成形法、または２Ｐ(Photo-polymerization)法等により形成されており、トラックピッチＴｐを０．７４μｍ、グルーブの幅Ｗｇと溝深さＤはそれぞれ０．３４μｍ、１５０ｎｍとした。ここでは、グルーブ４とランド５との間の傾斜部の中間点の幅をグルーブ幅Ｗｇと定義する。
【００３２】
一方信号の記録再生には、Ｐｕｌｓｔｅｃ社製のＤＤＵ−１０００（商品名）を用いた。この評価機のレーザー光の波長λは６５９ｎｍ、集光レンズの開口数ＮＡは０．６５であり、通常のＤＶＤに用いられているＥＦＭ  ｐｌｕｓ信号をランダム記録した際の再生信号のジッター値を測定した。
【００３３】
図３に、記録層として上記化３に示す色素材料の重量をＷ１、上記化５に示す色素の重量をＷ２としたときに、その重量比Ｗ２／（Ｗ１＋Ｗ２）を０．３とした材料を用いて光記録媒体を構成し、記録再生特性を測定した結果を示す。測定は、ＤＶＤ＋Ｒの倍速記録方式の規格によるMulti Strategyを用いて１倍速記録（線速３．５ｍ／ｓ）、２．４倍速記録（線速８．４ｍ／ｓ）、４倍速記録（線速１４．０ｍ／ｓ）を行い、更にＤＶＤ＋Ｒの倍速記録方式の規格によるNon-Multi Strategyを用いて８倍速記録（線速２７．９ｍ／ｓ）を行った後、１倍速で再生を行った際の記録パワーに対するジッター値を調べた。図３において実線ｃ１〜ｃ４はそれぞれ1倍速、２．４倍速、４倍速及び８倍速の結果を示す。
【００３４】
この図３の結果から、１倍速から８倍速全ての記録速度に亘ってジッターボトムがＤＶＤ＋Ｒの規格上限値である９．０％を大きく下回っていることがわかる。
従って本発明によれば、低速記録から高速記録にわたって、安定して良好な記録再生特性が得られることがわかる。
【００３５】
次に、記録層に上記化３及び化５に示す色素材料を用い、上記化５に示す色素材料の添加量を変えて添加し、上述の例と同様の条件をもって、すなわち記録層の厚さ、グルーブ幅及び深さ等を同様として光記録媒体を作製した。これらの光記録媒体に対し１倍速記録及び８倍速記録時のジッターボトムとなる記録パワーＰ０を測定した。この結果を図４にそれぞれ実線ｂ１及びｂ２として示す。重量比は、上記化３に示す色素の重量をＷ１、上記化５に示す色素の重量をＷ２として総重量に対する上記化５に示す材料の重量比Ｗ２／（Ｗ１＋Ｗ２）とした。
【００３６】
図４から明らかなように、上記化５に示す色素の重量比Ｗ２／（Ｗ１＋Ｗ２）が増加するに従い記録感度が低感度側にシフトしており、上記化２の一般式で示す材料を加えることにより、感度を調整できることがわかる。
【００３７】
ここで、ＤＶＤの規格からジッターボトムとなる記録パワーは２７ｍＷ以下であることが望ましい。したがって、８倍速の記録システムにおいてジッターボトムとなる記録パワーＰ０を２７ｍＷ以下とするには、重量比Ｗ２／（Ｗ１＋Ｗ２）を０．７以下とすることが望ましい。
【００３８】
またこの記録パワーＰ０はＤＶＤの規格により５〜６ｍＷ以上とされる。したがって、１倍速記録時のジッターボトムとなる記録パワーの結果から、上記化５すなわち上記化２に示す色素材料を添加することが記録感度調整のために望ましいことがわかる。
【００３９】
次に、グルーブの溝深さＤについて検討した結果を図５に示す。上記化３及び化５で示す有機色素材料の混合比をＷ２／（Ｗ１＋Ｗ２）＝０．３とした記録層を用いて、グルーブの溝深さを８０ｎｍ〜２３０ｎｍの範囲で変化させ、他の構成は上述の図３において説明した例と同様として光記録媒体を作製した。
【００４０】
グルーブの各溝深さに対し、８倍速記録時のジッターのボトム値と反射率を測定した。図５において実線ｄ１及びｄ２はそれぞれジッターボトム値及び反射率を示す。この結果から、ジッター値はグルーブが深くなるにつれて減少し、グルーブの溝深さＤが１００ｎｍのとき９％を下回ることがわかる。
【００４１】
また、反射率も同様にグルーブが深くなるにつれて減少するが、２００ｎｍで追記型ＤＶＤの規格の反射率の下限である４５％となる。従って、信号特性と反射率を同時に満足するグルーブ深さＤは、
１００ｎｍ≦Ｄ≦２００ｎｍ
の範囲が適していることがわかる。
【００４２】
更に、グルーブ幅Ｗｇについて検討した結果を図６に示す。上記化３及び化５に示す有機色素材料の混合比をＷ２／（Ｗ１＋Ｗ２）＝０．３の条件とした記録層を用いて、記録層の厚さ、グルーブの溝深さなどの他の条件を上述の図３において説明した例と同様に選定し、グルーブ幅Ｗｇを０．２８μｍ〜０．４４μｍの条件で１倍速記録と８倍速記録時のジッター値を測定し、最適記録パワーでのジッター値をプロットした。図６において、実線ｅ１及びｅ２はそれぞれ１倍速及び８倍速記録のジッター値を示す。
【００４３】
この図６の結果から、ジッター９％未満を達成するために、グルーブ幅Ｗｇは、０．２８μｍ≦Ｗｇ≦０．４０μｍの範囲が適していることがわかる。
【００４４】
次に、上記化３及び化５に示す色素材料の混合比はＷ２／（Ｗ１＋Ｗ２）＝０．３の条件で、これに下記化６に示す構造式の失活剤を添加して耐光性について調べた。ここでは上記化６に示す色素材料の重量をＷ３としたときに、
０≦Ｗ３／（Ｗ１＋Ｗ２＋Ｗ３）≦０．３５
の範囲で添加し、記録層の耐光性の変化について検討した。その他の構成、すなわち記録層の厚さ、グルーブ溝深さ及び幅を上述の図３において説明した例と同様に選定して光記録媒体を構成し、記録層の耐光性の変化について検討した。
【００４５】
【化６】
2005132055.tif 000008
【００４６】
記録層の耐光性試験は、厚さ０．６ｍｍの光透過性の基板上に、記録層と反射層を積層させ、基板側から２００Ｗの水銀−キセノンランプの紫外線を１時間照射して色素膜を劣化させ、５９０ｎｍ〜６８０ｎｍの波長領域に亘って劣化前後の反射光量を比較した。
【００４７】
紫外線照射前のレーザー光の反射光量をＩ０、照射後の反射光量をＩ１とした時、上記化６に示す構造式の失活剤の上記化３及び化５に示す材料との総重量に対する混合比Ｗ３／（Ｗ１＋Ｗ２＋Ｗ３）を変化させて、照射前後の反射光量の比Ｉ１／Ｉ０と、ジッター値を測定した。この反射光量比及びジッター値をそれぞれ図７において実線ｇ１及びｇ２で示す。
【００４８】
この図７の結果から、上記化６に示す構造式の失活剤の混合比Ｗ３／（Ｗ１＋Ｗ２＋Ｗ３）を増加させることにより、耐光性の向上が確認できる。また、現在実用化されているＣＤ−Ｒは、同様の耐光性試験においてＩ１／Ｉ０＝０．８程度であることから、この基準を適用するためには、失活剤の重量比はＷ３／（Ｗ１＋Ｗ２＋Ｗ３）≧０．１であることが望ましい。
【００４９】
また、失活剤の重量比がＷ３／（Ｗ１＋Ｗ２＋Ｗ３）＞０．３ではジッター値が９％を越えるため、失活剤の重量比は、
０．１≦Ｗ３／（Ｗ１＋Ｗ２＋Ｗ３）≦０．３
が好適であると言える。
【００５０】
上述の各例においては、上記化１に示す一般式で表される材料として、上記化３に示す材料を用いたが、本発明は上記化１の一般式に含まれるその他各種の有機色素材料を用いることができる。
例えば、上記化４及び上記化２に示す色素材料を記録層に用いて、その他の条件すなわち記録層の厚さ、グルーブ幅及び深さなどの条件を上述の図３において説明した例と同様に選定して光記録媒体を形成し、その１倍速、２．４倍速、４倍速及び８倍速記録を上述の例と同様の方法をもって記録し、再生ジッターを測定したところ、上記化４に示す材料を用いる場合においても、同様に１倍速から８倍速までの低速から高速記録時におけるジッターを確実に良好に抑制し、かつ記録パワーＰ０を適切な範囲内に調整することができた。
【００５１】
また、上記化４に示す材料を用いて記録層を構成する場合においても、基板に形成するグルーブの溝深さＤ及びＷｇを上述の範囲、すなわち
０．２８μｍ≦Ｗｇ≦０．４０μｍ
１００ｎｍ≦Ｄ≦２００ｎｍ
に選定することにより、上記化３に示す材料を用いる場合と同様に、ジッター９％未満、また反射率４５％以上を達成することができた。
【００５２】
更にこの材料に、上記化６に示す材料に代表される、周知の各種失活剤を本発明構成の光記録媒体の記録層に添加して耐光性の向上を図ることができる。
【００５３】
失活剤としては、上記化６に示す材料のほか、例えば下記の化７及び化８に示す構造式の材料などが挙げられ、同様に耐光性の向上を図ることができた。
【００５４】
【化７】
2005132055.tif 000009
【００５５】
【化８】
2005132055.tif 000010
【００５６】
以上説明したように、本発明による光記録媒体によれば、ＤＶＤ±Ｒの光学系を適用してシアニン系色素を用いた追記型の光記録媒体において、１倍速から８倍速という幅広い記録速度に亘って追記型ＤＶＤの規格を十分満足する信号特性が得られ、かつ記録パワーを適切な範囲に調整することができる。
特に前述の化１に示される一般式に含まれる材料のうち、上記化３及び化４に示す材料を用いて記録層を構成することにより、１倍速〜８倍速の各記録速度による記録情報を、ジッター９％未満をもって再生することができ、また反射率４５％以上とすることができた。
【００５７】
更に、前述の図３の結果から、８倍速以上の高速記録にも対応可能であることが容易に推測できる。
また上述の各例においては、記録層の厚さとしては上記ＯＤ＝０．６５となる厚さとして測定を行ったが、記録再生特性に影響を及ぼさない範囲で例えば上記ＯＤが０．５以上０．８以下程度の範囲で厚さを選定することも可能である。
【００５８】
更に、上記化６〜化８に示す有機色素材料に代表される各種失活剤を添加することにより、耐光性の向上を図ることができる。
【００５９】
尚、上述の各例においてはＤＶＤ＋Ｒ型構成の光記録媒体に適用した場合を説明したが、その他ＤＶＤ−Ｒ型フォーマットの光記録媒体においても本発明構成の光記録媒体を適用して同様に良好な結果を得ることができた。
【００６０】
また本発明は上記の例に限定されることなく、色素材料より成る記録層を２層構成とする光記録媒体に適用するなど、本発明構成を逸脱しない範囲で種々の変形、変更が可能である。
【図面の簡単な説明】
【００６１】
【図１】本発明光記録媒体の概略構成を示す断面図である。
【図２】本発明光記録媒体の要部の拡大断面図である。
【図３】本発明実施例の記録パワーに対するジッターの変化を示す図である。
【図４】本発明実施例の記録層材料の重量比に対する記録パワーの変化を示す図である。
【図５】本発明実施例のグルーブ深さに対するジッター及び反射率の変化を示す図である。
【図６】本発明実施例のグルーブ幅に対するジッターの変化を示す図である。
【図７】本発明実施例の記録層材料の重量比に対する紫外線照射前後の反射光量比とジッターの変化を示す図である。
【符号の説明】
【００６２】
１    基板
２    記録層
３    反射層
４    グルーブ
５    ランド
【図１】
2005132055.tif 000017
【図２】
2005132055.tif 000018
【図３】
2005132055.tif 000019
【図４】
2005132055.tif 000020
【図５】
2005132055.tif 000021
【図６】
2005132055.tif 000022
【図７】
2005132055.tif 000023